(57)【要約】【課題】複数の節からなる釣竿への防水構造の形成。各節の着脱作業が容易であり、且つ釣竿内部への浸水を防止する構造の提供。【解決手段】第１節２１と第２節２２との間の継部２８が防水カバー２９により覆われている。防水カバー２９は、継部２８を所定の緊迫力で覆う。防水カバー２９は、エラストマーにより形成されている。防水カバー２９は、第２節２２側に配置される大径部３３と、第１節２１側に配置される小径部３２とを備える。【選択図】　図２
2004024173.tif 000002
【特許請求の範囲】
【請求項１】
複数の節が軸方向に継がれて構成される釣竿の内部への浸水を防止するための構造であって、
隣り合う節間の継部を所定の緊迫力で覆うように防水カバーが当該継部に外嵌されていることを特徴とする釣竿の防水構造。
【請求項２】
上記防水カバーは、
エラストマーにより筒状に形成されている請求項１記載の釣竿の防水構造。
【請求項３】
上記防水カバーは、
隣り合う節のうち大径側の節の外径に対応する大径部と、大径部の軸方向に沿って当該大径部に連続し、隣り合う節のうち小径側の節の外径に対応する小径部とを有する釣竿の防水構造。
【請求項４】
複数の節が軸方向に継がれて構成される釣竿の内部への浸水を防止するための構造であって、
隣り合う一方の節の後端部が他方の節の先端部の内部に嵌合しており、当該先端部の内壁面にＯリングが配設されていることを特徴とする釣竿の防水構造。
【発明の詳細な説明】
【０００１】
【発明の属する技術の分野】
この発明は、複数の節から構成される釣竿の構造に関し、具体的には、釣竿の内部への水の侵入を防止するための構造に関するものである。
【０００２】
【従来の技術及び発明が解決しようとする課題】
一部のルアー用の釣竿や船釣用の釣竿を除き、一般に釣竿は、複数の棒状部材が軸方向に連結されることにより構成されている。各棒状部材は、「節」と呼ばれる。
【０００３】
図７は、へら釣り用の釣竿の正面図である。同図が示すように、釣竿１０は、第１節１１〜第４節１４を備えており、各節１１〜１４は、通常は細長の筒状に形成されている。この釣竿１０は、各節１１〜１４がいわゆる並継形式で連結されている。すなわち、第１節１１の後端部が第２節１２の先端部に嵌合され、第２節１２の後端部が第３節１３の先端部に嵌合されている。同様に、第３節１３の後端部が第４節１４の先端部に嵌合されている。第４節１４は、特に元節と呼ばれ、第４節１４の後端部には、グリップ１５が設けられている。また、第１節１１の先端には、釣糸が連結される釣糸連結部１６が設けられている。
【０００４】
ところで、釣竿は、湖、川、海等で使用されるものであるから、各節１１〜１４の嵌合部分に水が侵入するおそれがある。特に、同図が示すようなへら釣り用の釣竿１０は、実釣時において第１節１１が水没した状態で使用される場合があるため、第１節１１と第２節１２との嵌合部分１７に水が侵入しやすい。
一般に釣竿は、内部に水が侵入したとしても機能的には何ら問題が発生しないように設計されているが、釣竿のユーザーからは、釣竿内部への浸水を防止したいとの要請が出されている。
【０００５】
釣竿内部への浸水は、各節間の嵌合のはめあいが調整されることにより防止される。具体的には、釣竿の各節が水の侵入が防止されるほどに隙間なくぴったりと嵌め合わせられていればよい。ところが、かかる構造では、釣竿が収納又は組み立てられる際の各節の着脱作業が困難となる。
そこで、本発明の目的は、各節の着脱作業が容易であると共に釣竿内部への浸水を確実に防止することができる釣竿の防水構造を提供することである。
【０００６】
【課題を解決するための手段】
（１）　上記目的を達成するため、本願に係る釣竿の防水構造は、複数の節が軸方向に継がれて構成される釣竿の内部への浸水を防止するための構造であって、隣り合う節間の継部を所定の緊迫力で覆うように防水カバーが当該継部に外嵌されていることを特徴とするものである。
この構成によれば、防水カバーが所定の緊迫力で隣り合う節間の継部を覆っているので、当該継部から釣竿の内部への浸水が防止される。
【０００７】
（２）　また、上記目的を達成するため、本願に係る釣竿の防水構造は、複数の節が軸方向に継がれて構成される釣竿の内部への浸水を防止するための構造であって、隣り合う一方の節の後端部が他方の節の先端部の内部に嵌合しており、当該先端部の内壁面にＯリングが配設されていることを特徴とするものである。
この構成によれば、Ｏリングを介して隣り合う一方の節の後端部が他方の節の先端部の内部に嵌合しているので、当該嵌合部分から釣竿の内部への浸水が防止される。
【０００８】
（３）　上記防水カバーは、エラストマーにより筒状に形成することができる。エラストマーとしては、ＮＢＲ（アクリロニトリル−ブタジエン共重合体），ＣＲ（クロロプレンゴム），ＥＰＤＭ（エチレン−プロピレン−ジエン共重合体）等が採用される。
防水カバーが筒状に形成されることによって、当該防水カバーは、予め釣竿の所要の節に取り付けられる。これにより、各節が嵌合されたときに、継部が防水カバーによって迅速に覆われる。したがって、防水処理が簡単且つ迅速に行われる。特に、防水カバーがＮＢＲやＥＰＤＭにより構成される場合は、耐候性に優れる。
【０００９】
また、上記防水カバーは、隣り合う節のうち大径側の節の外径に対応する大径部と、大径部の軸方向に沿って当該大径部に連続し、隣り合う節のうち小径側の節の外径に対応する小径部とを有するものとすることができる。
この構成では、防水カバーの小径部は、細径の節の外周面にぴったりと嵌合し、防水カバーの大径部は、太径の節の外周面にぴったりと嵌合する。これにより、細径の節側からも、太径の節側からも水の侵入が確実に防止される。
【００１０】
【発明の実施の形態】
以下、適宜図面が参照されつつ、好ましい実施形態に基づいて本発明が詳細に説明される。
【００１１】
＜第１の実施形態＞
図１は、本発明の第１の実施形態に係る釣竿２０の正面図である。
この釣竿２０は、いわゆるへら竿として構成されている。釣竿２０は、第１節２１〜第４節２４を備えている。各節２１〜２４は、細長の円筒状に形成されており、第１節２１が最も細径に形成され、第２節２２，第３節２３及び第４節２４の順に太径となっている。各節２１〜２４は、たとえばカーボン繊維を巻回して筒状に形成する等、公知の要領で製造されている。
【００１２】
各節２１〜２４は、これらが順に軸方向に嵌め合わされることにより、実釣時の釣竿として形成される。すなわち、各節２１〜２４は、いわゆる並継形式で継がれており、第１節２１の後端部が第２節２２の先端部に、第２節２２の後端部が第２節２３の先端部に、第３節２３の後端部が第４節２４の先端部に嵌め込まれている。
【００１３】
なお、第４節２４の後端部には、グリップ２５が設けられている。このグリップ２５は、釣人が釣竿２０を操作する際に実際に握る部分であり、握りやすいように略円筒状に形成されている。グリップ２５は、例えば樹脂等により構成されている。
また、第１節２１の先端部には、釣糸が連結される釣糸連結部２６が形成されている。釣糸連結部２６は、例えば樹脂繊維を編み込んでひも状に形成することにより構成することができる。
【００１４】
本実施形態の特徴とするところは、釣竿２０が後に詳述される防水構造２７を備えている点である。この防水構造２７は、第１節２１と第２節２２との継部２８から釣竿２０の内部に水が侵入するのを防止するためのものである。
すなわち、この防水構造２７は、上記継部２８からの浸水を防止すべく、継部２８に防水カバー２９が取り付けられたものである。
【００１５】
図２は、上記防水構造２７を示す斜視図であり、図３は、当該防水構造２７の分解斜視図である。
これらの図が示すように、この防水構造２７は、第１節２１の後端部３０が第２節２２の先端部３１の内側に嵌め込まれた継部２８に、上記防水カバー２９が当該継部２８を覆うように嵌め込まれて構成されている。
【００１６】
防水カバー２９は、図３が示すように、段付きの円筒状に形成されている。すなわち、防水カバー２９は、小さな内径ｄ１を有する小径部３２と、内径ｄ１よりも大きな内径ｄ２を有する大径部３３とを有し、これらは軸方向に沿って連続して一体的に形成されている。
防水カバー２９は、本実施形態では、ＮＢＲ（アクリロニトリル−ブタジエン共重合体）により構成されている。もっとも、防水カバー２９を構成する材料はこれに限定されるものではなく、，ＣＲ（クロロプレンゴム），ＥＰＤＭ（エチレン−プロピレン−ジエン共重合体）等が採用されてもよく、防水カバー２９は、一般にエラストマーにより形成される。
【００１７】
図４は、防水カバー２９が取り付けられた状態での断面図であり、上記防水構造２７を詳細に示す図である。
同図が示すように、防水カバー２９は、上記内径ｄ１、ｄ２を有し、そのため、防水カバー２９の内壁面には、段部３４が形成されている。この段部３４による作用効果については後述される。もっとも、この段部３４は、無くすこともできる。
【００１８】
上記内径ｄ１は、第１節２１の後端部３０の外径Ｄ１（すなわち、第１節２１の嵌合部先側防水カバー装着部の外径Ｄ１）に対応されている。本実施形態では、寸法Ｄ１は、３．２ｍｍに設定されている。そして、上記内径ｄ１は、ｄ１＝Ｄ１−０．２ｍｍに設定されている。
もっとも、この内径ｄ１は上記寸法Ｄ１に対応したものであって、寸法Ｄ１が変更されれば、当然にｄ１も変更される。要するに、内径ｄ１は、寸法Ｄ１よりも若干小さくなるように設定されている。
【００１９】
また、上記内径ｄ２についても同様である。すなわち、上記内径ｄ２は、第２節２１の先端部３１の外径Ｄ２に対応されている。本実施形態では、寸法Ｄ２は、３．９ｍｍに設定されている。そして、上記内径ｄ２は、ｄ２＝Ｄ２−０．２ｍｍに設定されている。
もっとも、この内径ｄ２は上記寸法Ｄ２に対応したものであって、寸法Ｄ２が変更されれば、当然にｄ２も変更される。要するに、内径ｄ２は、寸法Ｄ２よりも若干小さくなるように設定されている。
【００２０】
この防水カバー２９は、予め第２節２２の先端部３１に取り付けておくことができる。つまり、防水カバー２９の大径部３３を第２節２２の先端部３１に嵌め込んでおくことができる。このとき、前述のように内径ｄ２は、寸法Ｄ２よりも若干小さくなるように設定されており、しかも防水カバー２９がＮＢＲにより構成されているから、大径部３３は、所定の緊迫力によって第２節２２の先端部３１に隙間が形成されることなくぴったりと嵌合する。
このように、予め防水カバー２９が第２節２２に取り付けられることにより、釣竿２０が収納状態で（つまり、各節２１〜２４が離脱されている状態）であっても、防水カバー２９が紛失されることはない。
【００２１】
釣竿２０が組み立てられる際には、各節２１〜２４が前述のように継がれる。そして、第１節２１の後端部３０は、上記防水カバー２９の小径部３２に挿通され、第２節２２の先端部３１の内部に嵌め込まれる。このとき、上記小径部３２内径ｄ１は、第１節２１の後端部３０の外径Ｄ１よりも若干小さくなるように設定されているから、上記小径部３２は、所定の緊迫力によって第２節２１の後端部３０に隙間が形成されることなくぴったりと嵌合する。
【００２２】
なお、釣竿２０が収納状態であるときに、防水カバー２９の小径部３２が大径部３３側へ折り返されていてもよい。このようにすれば、釣竿２０が収納状態であるときに、防水カバー２９が第２節２２から突出することなく、コンパクトに納められる。
しかも、第１節２１を第２節２２に嵌め込む作業において、第１節２１を防水カバー２９に差し込む必要がなくなり、当該作業が容易となる。そして、第１節２１が第２節２２に嵌め込まれた状態で、上記小径部３２の折り返しが元に戻されることにより、当該小径部３２は、第１節２１の後端部３０にぴったりと嵌合する。
【００２３】
この釣竿２０では、このような防水構造２７を備えており、防水カバー２９が上記所定の緊迫力で上記継部２８（すなわち、第１節２１の後端部３０及び第２節２２の先端部３１）を覆っている。したがって、この継部２８から釣竿２０の内部への浸水が防止される。しかも、第１節２１と第２節２２とのはめあいは、従来から採用されている寸法に設定されるので、各節２１，２２の着脱は容易である。
【００２４】
本実施形態では、防水カバー２９が筒状に形成されているので、前述のように、防水カバー２９は、予め釣竿２０の第２節２２に取り付けられる。これにより、第１節２１が第２節２２に嵌め込まれたときに、釣人は、防水カバー２９を操作して、継部２８を防水カバー２９によって迅速に覆うことができる。したがって、釣竿２０の防水処理が簡単且つ迅速に行われ、実釣時において釣竿２０のセッティングに手間がかかることはない。
さらに、防水カバー２９は、エラストマーにより構成されるが、特にＮＢＲやＥＰＤＭにより構成される場合は、耐候性に優れるという利点がある。
【００２５】
また、防水カバー２９は、大径部３３及び小径部３２を備えており、それぞれが第２節２２の先端部３１及び第１節２１の後端部３０にぴったりと嵌合する。しかも、図４が示すように、上記段部３４が形成されているので、第２節２２の先端部３１と第１節２１の後端部３０との間には一切隙間は生じない。これにより、第１節２１側からも、第２節２２側からも浸水が確実に防止される。
【００２６】
次に、本実施形態の変形例について説明される。
図５は、本実施形態の変形例に係る釣竿２０の要部拡大断面図であり、継部２８の構造を詳細に示している。
本変形例が上記実施形態と異なるところは、上記実施形態では防水カバー２９が段付きの筒状に形成されていたのに対し（図４参照）、本変形例では、防水カバー４０が単純な円筒状に形成されている点である。なお、その他の構成については、上記実施形態で開示されたものと同様である。
【００２７】
防水カバー４０が円筒状に形成されているので、図５が示すように、防水カバー４０が継部２８に装着された状態では、第１節２１と第２節２２との境界部分に、微少な空間４１が形成される場合もある。しかし、防水カバー４０の一端部４２及び他端部４３が、それぞれ第１節２１の後端部３０及び第２節２２の先端部３１にぴったりと嵌合するので、第１節２１と第２節２２との境界部分から浸水するおそれはない。
【００２８】
しかも、防水カバー４０が単純な円筒状を呈しているので、防水カバー４０の製造がきわめて簡単であり、防水カバー４０の製造コストを低減することができるという利点がある。引いては釣竿２０の製造コストが大幅に上昇することはないという利点もある。
【００２９】
＜第２の実施形態＞
次に、本発明の第２の実施形態について説明される。
図６は、本発明の第２の実施形態に係る釣竿２０の要部拡大断面図であり、継部２８における防水構造４４を詳細に示している。
【００３０】
本実施形態に係る防水構造４４が上記第１の実施形態に係る防水構造２７と異なるところは、上記第１の実施形態に係る防水構造２７では、防水カバー２９（４０）によって継部２８を覆う構造であるのに対し、本実施形態に係る防水構造４４は、第２節２２にＯリング４５が配設されている点である。なお、その他の構成については、上記第１の実施形態で開示されたものと同様である。
【００３１】
このＯリング４５は、例えばＮＢＲにより構成されている。本実施形態では、図６が示すように、２つのＯリング４５が並設されている。ただし、Ｏリング４５の数は、２つに限定されるものではなく、単一でもさらに多数設けられていてもよい。
Ｏリング４５は、第２節２２の先端部３１の内壁面４６に嵌め込まれている。この内壁面４６には、周方向に沿って２つの溝４７が設けられており、これら溝４７にＯリング４５が嵌め込まれている。
【００３２】
この構成によれば、釣竿２０は前述の要領で組み立てられ、第１節２１の後端部３０が第２節２２の先端部３１に嵌め込まれると、Ｏリング４５を介して第１節２１の後端部３０が第２節２２の先端部３１に嵌合する。これにより、継部２８から釣竿２０の内部への浸水が防止される。
しかも、第１節２１と第２節２２との間のはめあいは、従来から採用されている寸法に設定されるので、各節２１，２２の着脱は容易である。
さらに、本実施形態では、Ｏリング４５が第２節２２の内部に配設されているから、釣竿２０の外観は当該防水構造４４が設けられている場合であっても、従来の釣竿と同様であり、釣竿２０のユーザーが外観上の違和感を覚えることはない。
【００３３】
上記各実施形態では、釣竿２０はへら竿として構成されており、へら竿は、一般に第１節２１、場合によっては第１節２１及び第２節２２が水中に配置された状態で使用されるものであるために、上記各防水構造２７，４４は、第１節２１と第２節２２との間に形成されている。
上記各防水構造２７，４４は、このように第１節２１と第２節２２との間にのみ形成されるべきものではなく、他の節間、例えば第２節２２と第３節２３との間、場合によっては第３節２３と第４節２４との間に形成されていてもよい。
【００３４】
【発明の効果】
以上のように本発明によれば、防水カバーやＯリングにより構成される防水構造によって、釣竿の各節の着脱作業が容易でありながら、釣竿内部への浸水を確実に防止することができる。
【図面の簡単な説明】
【図１】図１は、本発明の第１の実施形態に係る釣竿の正面図である。、
【図２】図２は、本発明の第１の実施形態に係る防水構造を示す斜視図である。
【図３】図３は、本発明の第１の実施形態に係る防水構造の分解斜視図である。
【図４】図４は、本発明の第１の実施形態に係る防水構造を詳細に示す図である。
【図５】図５は、本発明の第１の実施形態の変形例に係る釣竿の要部拡大断面図である。
【図６】図６は、本発明の第２の実施形態に係る釣竿の要部拡大断面図である。
【図７】図７は、従来の一般的なへら釣り用の釣竿の正面図である。
【符号の説明】
２０・・・釣竿
２１・・・第１節
２２・・・第２節
２７・・・防水構造
２８・・・継部
２９・・・防水カバー
３０・・・第１節の後端部
３１・・・第２節の先端部
３２・・・小径部
３３・・・大径部
４０・・・防水カバー
４４・・・防水構造
４５・・・Ｏリング
４６・・・内壁面
４７・・・溝
【図１】
2004024173.tif 000003
【図２】
2004024173.tif 000004
【図３】
2004024173.tif 000005
【図４】
2004024173.tif 000006
【図５】
2004024173.tif 000007
【図６】
2004024173.tif 000008
【図７】
2004024173.tif 000009